(57)【要約】      （修正有）【課題】メモリカードの効果的な放熱を行うことが可能な撮像装置を提供する。【解決手段】撮像装置は、記録メディア５１９を装着する装着口と、装着口３１０を開閉する蓋部材４００と、蓋部材の開閉状態を検知する検知手段と、検知手段により蓋部材の開閉状態を検知した場合に、ファンの駆動状態を切り替えるように制御する制御手段と、を備える。【選択図】図１８
2019068370.tif 000002
【特許請求の範囲】
【請求項１】
記録メディアを装着する装着口と、
前記装着口を開閉する蓋部材と、
前記蓋部材の開閉状態を検知する検知手段と、
前記検知手段により前記蓋部材の開閉状態を検知した場合に、前記ファンの駆動状態を切り替えるように制御する制御手段と、
を備えたことを特徴とする撮像装置。
【請求項２】
前記検知手段により前記蓋部材が開いていることを検知した場合に、前記制御手段により前記ファンの回転数を変えることにより、前記記録メディアに当たる風量を変化させることを特徴とする請求項１に記載の撮像装置。
【請求項３】
複数の姿勢に移動可能な板部材を備え、前記検知手段により前記蓋部材が開いていることを検知した場合に、前記制御手段により前記板部材の姿勢を変えることにより、前記記録メディアに風を当てることを特徴とする請求項１または２に記載の撮像装置。
【発明の詳細な説明】
【技術分野】
【０００１】
本発明は、撮像装置に関するものである。
【背景技術】
【０００２】
デジタルスチルカメラ（以下、カメラという。）等の一般民生用の撮像装置では、撮影した画像データの記録にメモリカードを使用するのが主流となっている。そのため、カメラは、メモリカードが挿抜されるカードコネクタを備えている。
【０００３】
また、メモリカードは小型化とともに、画素数など記録画質や処理速度の向上など高性能化しており、それに伴って発熱量も増大している。そのため、長時間撮影後にメモリカードを取り出す際にカードの温度が上昇している場合がある。
【０００４】
例えば、特許文献１には、複数の記録メディアを着脱可能に収納できる情報処理装置において、記録メディアを収納するための各スロットに扉を設け、記録メディアが収納されている扉が開状態となることで、記録メディアを冷却する構造が記載されている。
【先行技術文献】
【特許文献】
【０００５】
【特許文献１】特開２００６−１４６５３４号公報
【発明の概要】
【発明が解決しようとする課題】
【０００６】
しかしながら、上記の構成をカメラに適用した場合、記録メディアが収納されている状態で扉が開いているため、カメラ本体内部へのゴミの侵入などが考えられ、メモリカードの保護が不十分となる。
【課題を解決するための手段】
【０００７】
本発明の撮像装置は、上記課題を解決するためになされたものであり、記録メディアを装着する装着口と、前記装着口を開閉する蓋部材と、前記蓋部材の開閉状態を検知する検知手段と、前記検知手段により前記蓋部材の開閉状態を検知した場合に、前記ファンの駆動状態を切り替えるように制御する制御手段と、を備えたことを特徴とする。
【発明の効果】
【０００８】
本発明によれば、記録メディア表面からの効率的な放熱が可能となり、記録動作後の記録メディアをユーザが取り出す際に、ユーザに違和感を与えることなく記録メディアの温度を下げることができる。
【図面の簡単な説明】
【０００９】
【図１】本発明実施例の撮像装置の外観を示した前方斜視図。
【図２】本発明実施例の撮像装置の外観を示した後方斜視図。
【図３】本発明実施例の撮像装置の断面模式図。
【図４】本発明実施例の撮像装置のファンの斜視図。
【図５】本発明実施例の撮像装置のダクト部の分解斜視図。
【図６】本発明実施例の撮像装置のダクト部の分解斜視図。
【図７】本発明実施例の撮像装置のダクト部の分解斜視図。
【図８】本発明実施例の撮像装置のダクト部の分解斜視図。
【図９】本発明実施例の撮像装置のダクト部の組み立て状態図。
【図１０】本発明実施例の撮像装置のダクト部の分解斜視図。
【図１１】本発明実施例の撮像装置のダクト前カバーの外観図。
【図１２】本発明実施例の撮像装置のカード蓋構造を示す図。
【図１３】本発明実施例の撮像装置のカード蓋構造を示す図。
【図１４】本発明実施例の撮像装置のファンの動作制御図。
【図１５】本発明実施例の撮像装置のカード蓋構造の断面図。
【図１６】本発明実施例の撮像装置のカード蓋構造の断面図。
【図１７】本発明実施例の撮像装置の制御図。
【図１８】本発明実施例の撮像装置のダクト部の断面図。
【図１９】本発明実施例の撮像装置のダクト部の断面図。
【図２０】本発明実施例の撮像装置の断面図。
【図２１】本発明実施例の撮像装置の断面図。
【図２２】本発明実施例の撮像装置のカード蓋の状態図。
【図２３】本発明実施例の撮像装置のカード蓋の状態図。
【発明を実施するための形態】
【００１０】
以下、本発明に掛かる撮像装置の好ましい形態について詳述する。以後の説明においては被撮影者側を前方とし、撮影者側を後方とする。また、被撮影者から見て右側をＲ側、左側をＬ側とする。また、撮像装置の底面は水平面となっている。
【００１１】
図１は本実施例の撮像装置の外観を示した前方斜視図である。また、図２は本実施例の撮像装置の後方斜視図である。
【００１２】
カメラ１の正面の中央付近には円筒状の鏡筒部２を備え、鏡筒部２はレンズ部３０を内包している。カメラ１の上面にはマイク１３と電源スイッチ１１とトリガー１２とその他各種操作ボタン１５、１６、１７を備えている。背面にはタッチパネル付きの画像表示部２１０を内蔵した、表示パネル部４を備えている。
【００１３】
Ｌ側側面には空冷ダクトとつながり、上下に矩形状となる吸気口６を備えている。Ｒ側側面にも空冷ダクトとつながり、上下に矩形状となる排気口７を備えている。排気口７と並んで、前面側にはカード蓋（蓋部材）４００を備える。また、前記カード蓋４００の下方には複数の外部端子が並んでいる入出力部５１６が配置されている。
【００１４】
図１７は本実施例のカメラ１の内部構成を示すブロック図である。カメラ１は、フォーカス及びズーム等の光学制御系を含む光学レンズ群及び絞りからなるレンズ部３０、後述する撮像素子３１及び撮像基板３２を含むメイン撮像部５０２を備える。また、カメラ信号処理部５０３、圧縮伸張処理部５０４、画像表示部２１０、記録再生処理部５０６、メモリカード５１９を制御するカード制御部５０７、大容量内蔵メモリー５２０を制御する大容量内部メモリー制御部５０８を備える。
【００１５】
また、音声信号処理部５１０、メモリー５１１、メモリー制御部５１２、操作部５１４、外部装置５２１との接続で使うデジタルＩ／Ｆ５１５、外部装置５２２との接続を行う入出力部５１６を備える。また、ＧＰＳ受信部５２４、ＧＰＳ信号処理部５２５、電源制御部５１７、バッテリー５２３、本体の冷却用にファン７０を備える。また、各機能ブロックはそれぞれデータバス５１８を介して互いにデータ通信可能に接続されている。
【００１６】
このようなカメラ１において、メモリー５１１はプログラム記憶領域とデータ作業領域を有し、データバス５１８を介して各機能ブロックでタイムシェアリングして使用され、メモリー制御部５１２により制御及び管理されている。ＣＰＵ５１３は所定のプログラムを実行すること等により、カメラ１全体を統括制御する中央演算処理回路である。
【００１７】
操作部５１４は前記タッチパネル付きの画像表示部２１０や電源スイッチ１１及びトリガー１２等を含んでいる。電源スイッチ１１はスライド操作することで電源のＯＮ／ＯＦＦを行う。トリガー１２を押圧操作することで動画撮影のスタート／ストップを行う事が可能である。その他の操作に関してはタッチパネル付き画像表示部２１０でも行うことができる。
【００１８】
このように、操作部５１４はユーザからのキー操作などに基づいて、ＣＰＵ５１３に対して動作指示する機能を有する。デジタルＩ／Ｆ５１５は例えば図示しないＵＳＢ等の規格に従い外部装置５２１と信号を授受する。メモリカード５１９はＳＤカードやコンパクトフラッシュ（ともに登録商標）等の脱着式のフラッシュメモリーであり、撮影データ及び音声データが記録される。
【００１９】
電源制御部５１７はバッテリー検出回路、ＤＣ−ＤＣコンバータ、通電するブロックを切り替えるスイッチ回路等により構成されており、バッテリー５２３の装着の有無、電池の種類、電池残量の検出を行う。バッテリー５２３はリチウムイオン等であり、カメラ１に電源を供給する。
【００２０】
ＧＰＳ受信部５２４はＧＰＳ衛星から位置と時間のデータを取得する。このデータは、ＧＰＳ信号処理部５２５にて処理され、ＧＰＳ受信部５２４の位置やその位置における時刻を算出する。このカメラ１では算出した位置情報や時刻情報を画像データとともに大容量内蔵メモリー５２０またはメモリカード５１９に書き込む。再生時には、この位置情報や時刻情報を参照することができ、データや記憶の整理に利用できる。
【００２１】
次に、カメラ１の撮影動作及び記録動作、再生動作について説明する。例えば操作部５１４により撮影動作、記録動作が指示された場合、被写体からの光はレンズ部３０により所定の明るさ、画角、及びフォーカス等が制御された光学信号となってメイン撮像部５０２に対して入力される。メイン撮像部５０２は入力光学信号を電気信号に変換し、カメラ信号処理部５０３に出力する。カメラ信号処理部５０３はこの電気信号をデジタル画像信号に変換する。
【００２２】
そして、この画像信号に対して、色分離、階調補正、及びホワイトバランス調整などの信号処理を施したのち出力する。音声信号処理部５１０はマイク１３より入力された音声信号を所定レベルにゲインコントロールしてデジタル化することで、音声データとして出力する。
【００２３】
圧縮伸張処理部５０４はカメラ信号処理部５０３から出力された画像データ及び音声信号処理部５１０から出力された音声データを所定の圧縮符号化方式により圧縮符号化する。圧縮伸張処理部５０４で処理された圧縮符号化対象の撮影データは画像表示部２１０に表示され必要に応じてカメラ１の動作状況も表示する。
【００２４】
記録再生処理部５０６は圧縮伸張処理部５０４で得られた圧縮符号化後のデータに対して、エラー訂正符号化処理や変調処理等を施す。さらに同期、ＩＤ、ＧＰＳ受信部５２４及びＧＰＳ信号処理部５２５から算出した位置情報や時刻情報などのデータを付加して記録に適した形態に変換し、大容量内蔵メモリー５２０あるいはメモリカード５１９等の記録メディアに記録する。この際、大容量内部メモリー制御部５０８は大容量内蔵メモリー５２０の記録制御を、カード制御部５０７はメモリカード５１９の記録制御を行う。
【００２５】
一方、操作部５１４により再生動作が指示された場合、記録再生処理部５０６は、大容量内蔵メモリー５２０またはメモリカード５１９から読み出したデータから元のデジタルデータを検出し、エラー訂正及び復調等の処理を施す。また、ＰＬＬ回路によりこの再生データに同期したクロックを生成する。
【００２６】
圧縮伸張処理部５０４は、記録再生処理部５０６より出力されたデータに対して、所定の圧縮符号化方式に対応した伸張処理を施し、圧縮符号化前の撮影データ及び音声データを取得する。画像表示部２１０は圧縮伸張処理部５０４で得られた再生データを表示する。
【００２７】
また、操作部５１４によりデジタルＩ／Ｆ５１５からの入力データを記録する指示があった場合、ＣＰＵ５１３はデジタルＩ／Ｆ５１５により、外部装置５２１からの画像データあるいは音声データをデジタル信号の状態で入力し、記録再生処理部５０６に送る。この際、外部装置５２１からの画像データ、音声データはすでに符号化されているものとし、記録再生処理部５０６は前述のようにこの入力データに対して記録に必要な処理を施して大容量内蔵メモリー５２０やメモリカード５１９などの記録メディアに記録する。
【００２８】
また、操作部５１４により、入出力部５１６からの入力信号を記録する指示があった場合、ＣＰＵ５１３は入出力部５１６を制御し、外部装置５２２から出力された画像、音声信号を入力する。入出力部５１６は外部装置５２２から出力された画像、音声信号をデジタルデータに変換してメモリー５１１に出力する。ＣＰＵ５１３はこのメモリー５１１に記憶された画像、音声データを圧縮伸張処理部５０４に出力して圧縮符号化し、記録再生処理部５０６に送る。
【００２９】
記録再生処理部５０６は前述のようにこの符号化されたデータに対して記録に必要な処理を施して大容量内蔵メモリー５２０やメモリカード５１９などの記録メディアに記録する。また、電源をＯＮにすると、ファン７０は駆動を開始して、後述するダクト部８００を介して給排気を行うスピーカー制御部６００により、スピーカーからの音声出力の制御を行う。
【００３０】
図３にカメラ１をレンズ部の光軸を含み底面と平行な平面で切った場合の断面模式図を示す。鏡筒部２はレンズ部３０を内包している。レンズ部３０の後端には撮像素子３１が実装された撮像基板３２が固定されている。その後ろに詳細を後述する放熱ブロック９００を備える。放熱ブロック９００は略矩形状を有しておりカメラ１のＲ側からＬ側にかけて貫設している。さらにダクト後ろカバー１３０にメイン基板１４０が固定される。
【００３１】
図１１はダクト前カバー１５０の外観形状を示す図である。ダクト前カバー１５０は略階段状の形状をしており、矩形状の面１５９と、面１５９より一段前方に突出して略平行な面１５８を備える。面１５９と面１５８は両面に略垂直な面１６０により連結されている。面１５９の一端はコの字状の開口部１６５を備え、他端は面１６０が形成される。
【００３２】
面１６０との近傍には開口穴１５５が形成され、開口穴１５５を挟んでボス１５６とボス１５７が形成される。面１６０には矩形状の開口穴１６６が形成されている。面１５８には大きな切り欠き部１６７が形成されその周囲にはボス１６１、ボス１６２、ボス１６３、ボス１６４を備えている。
【００３３】
ダクト前カバー１５０の一側面でかつ、面１５８と面１６０で囲まれた面１６８ａには穴１５３が形成され、穴１５３を挟んでダクト前カバー１５０に設けられているボス１５１とボス１５２が形成される。
【００３４】
組み立て状態を示す図９と分解斜視図である図１０を用いて、ダクト前カバー１５０へのルーバー駆動部の固定を説明する。ルーバー駆動部１１９は、ルーバー１１７およびモーター１１３とギヤ１１５を含む。モーター１１３のシャフト１１３ａにピニオンギヤ１１４を固着し、モーター１１３の後ろ面にはスポット溶接等で固着した取りつけ金具１１２を備える。
【００３５】
取りつけ金具１１２をネジ１１８ａとネジ１１８ｂにて、ダクト前カバー１５０に設けられているボス１５１とボス１５２に固定する。シャフト１１６はギヤ１１５の中心穴に圧入固定され、ダクト前カバー１５０の穴１５３を挿通し、板状のルーバー１１７の貫通穴１１７ａを圧入固定し、面１６９ａの穴１５４を挿通する。シャフト１１６はダクト前カバー１５０に軸架される。
【００３６】
また、面１６９ａにはピン状の突起部１７０と突起部１７１を備えている。この形状の作用については後述する。上記構成で組み立てることでギヤ１１５とシャフト１１６とルーバー１１７が一体化し、ダクト前カバー１５０により回転可能に支持される。ピニオンギヤ１１４とギヤ１１５は噛合することでモーター１１３によりシャフト１１３ａを回転させることで、ルーバー１１７が回動する。
【００３７】
図４にファン７０の斜視図を示す。ファン７０は前後に薄い扁平形状をしており内部には複数の羽を円状に配置した放熱フィン７３を備える。前面側には中央付近にファン吸気口７１を備え、一側面のみファン排気口７２として開口されている。ファン７０に備えた図示しないモーターを駆動することで、放熱フィン７３が回転する。この時ファン吸気口７１から入った空気は９０度向きを変えてファン排気口７２から風の流れを示す矢印８０の向きに排気される。
【００３８】
図５と図６の分解斜視図を用いて、ファンとカード基板の固定方法について説明する。ファン７０をネジ１１８ｃとネジ１１８ｄによってボス１５７、ボス１５６に固定する。開口穴１５５とファン吸気口７１の位置が合い、開口穴１６６とファン排気口７２の位置が合うように圧着される。
【００３９】
カード基板部８８はカード基板８１とカードコネクタ８０を含む。カードコネクタ８０はカード基板８１に実装されている。カード基板８１はネジ８５ｅ，８５ｆ，８５ｇ，８５ｈによって基板取付板８２に固定されている。ダクト前カバー１５０に基板取付板８２はネジ８５ａ，８５ｂ，８５ｃ，８５ｄによって、ボス１６１，１６２，１６３，１６４に固定される。
【００４０】
図７と図８を用いて、ダクト後ろカバー１３０とメイン基板１４０の組み立てについて説明する。ダクト後ろカバー１３０はダクト前カバー１５０の外形と略同一の矩形状を有し、扁平な板状の部品であり、材質は例えばアルミなどの熱伝導性の良い材料で成形されている。ダクト後ろカバー１３０の一面には複数の放熱リブ１３１が矩形状の長手方向に沿って並行に配設されている。
【００４１】
放熱リブ１３１の裏面には放熱凸部１３８と放熱凸部１３９が形成される。メイン基板１４０はダクト後ろカバー１３０に形成されたボス１３５，１３６，１３７，１３８にネジ９０，９１，９２，９３で固定され、その際メイン基板１４０に実装された発熱素子１４１，１４２は放熱凸部１３８，１３９に当接する。ダクト前カバー１５０には外周にボス１６５，１６６，１６７，１６８が形成され、ネジ９５，９６，９７，９８によってダクト後ろカバー１３０が固定される。
【００４２】
図１２、図１３にカード蓋構造を示す。判りやすいように本体を一部切りぬいた図としている。カメラ１のＲ側の外装部品であるカバー３００の外装面には、カード蓋４００と蓋押さえ部材４５０がある。カード蓋４００の両端には軸４０３と軸４０２を備え、蓋押さえ部材４５０の溝４５１と溝４５２にそれぞれ緩嵌され、蓋押さえ部材４５０はネジ４８１とネジ４８２に固定される。
【００４３】
カバー３００の内面側である面３０１にはボス３０２，３０３，３０４，３０５，３０６が形成され、板バネ６３０はボス３０３，３０６に二本のネジにて固定される。板バネ６００はボス３０４，３０５に二本のネジで固定される。
【００４４】
検出ＳＷ６７１は検出基板６７０に実装され、検出基板６７０はＬ字状にまがった取付板６５０に面３０１に固定される。取付板６５０はボス３０２にネジで固定される。
【００４５】
面３０１には矩形状の開口部３１０その下には開口部３２０と複数のスリットが配設された排気口７を備える。開口部３２０と排気口７を囲むようにリブ３４０を備えている。
【００４６】
図１５、図１６にはカード蓋４００を開閉した際の断面図を示す。閉状態を図１５、開状態を図１６に示す。カード蓋４００の上端中央付近には腕形状４０１が形成され、その一端には円弧形状の被付勢部４０１ａを備えている。
【００４７】
板バネ６００は開口部３１０の下方に固定され、カード蓋４００に対向した円弧状の付勢部６０１を備えている。板バネ６３０は開口部３１０の上方に固定され、カード蓋４００に対向した円弧状の付勢部６３１を備えている。
【００４８】
カード蓋４００は軸４０２、軸４０３を中心に回動される。閉時はカード蓋４００の被付勢部４０１ａが板バネ６３０の付勢部６３１に当接し、カード蓋４００を時計回りの方向に付勢している。
【００４９】
開時は、カード蓋４００の被付勢部４０１ａが、板バネ６００の付勢部６０１に当接し、かつ、カード蓋４００の軸４０２、軸４０３近傍の根元付近は蓋押さえ部材４５０の端面４５１が当接する。そしてカード蓋４００は９０度以上開いた状態を保持することができる。
【００５０】
図２２にカード蓋４００が開いた状態の斜視図を示す。図１２、図１３を用い、開閉検知構造を説明する。カード蓋４００には幅方向で軸４０２の近傍の上端から腕４０５を形成し、その先端にはスイッチ押し部４０５ａを形成する。開時にはスイッチ押し部４０５ａが検出ＳＷ６７１のレバー部６７１ａを押すことにより検出ＳＷ６７１がＯＮになり、カード蓋４００が開いていることを検知する。
【００５１】
図２３に示すように、カード蓋４００が閉じている場合、スイッチ押し部４０５ａはレバー部６７１ａから離間すること検出ＳＷ６７１がＯＦＦになり、カード蓋４００が閉じていることを検知する。
【００５２】
図１８、図１９は製品使用時のダクト部８００内の断面図を示す。ファン７０を駆動することによる空気の流れは太い線の矢印で示し、気流Ｗ１、気流Ｗ２とする。図１９はカメラ１の記録時を示し、図１８はカード取り出し時を示している。
【００５３】
吸気口６からダクト部８００に入った気流Ｗ１、気流Ｗ２は開口穴１５５を経て、ファン７０に入る。ファン７０により方向を変えて、開口穴１６６から再度ダクト部８００に入る。
【００５４】
記録時において、ルーバー１１７は突起部１７１に当接しており、カードコネクタ８０と略平行になっている。そのため、気流Ｗ１は開口部３２０から外部に排気される。カード取り出し時はカード蓋４００を開けることでモーター１１３が回転し、ルーバー１１７を突起部１７０に当接させる。
【００５５】
突起部１７０がカードコネクタ８０に対して斜めになることで気流Ｗ２がメモリカード５１９に向かう。図１８に示すメモリカード５１９はカードコネクタ８０から排出された位置を示している。気流Ｗ２はカードコネクタ８０とメモリカード面５１９ａに直接あたる。
【００５６】
図１４にファン動作の制御フローを示す。電源スイッチ１１を押すと、『電源オン』ｓ１となり、さらにトリガー１２を押すことで『記録開始』ｓ２を始め、その後『ファンを回転数ｎ１で回す』ｓ３に移行する。回転数ｎ１はあらかじめ設定されている。
【００５７】
例えば本実施例では、ファンの回転数が上がることで、ファンの音は大きくなる。回転数ｎ１は記録動作時の製品内部の熱を冷却するに必要な回転数であり、かつ、極力低い回転数が設定されている。
【００５８】
図示しない停止ボタンを押されると『記録を停止』ｓ４に移行し、録画撮影が終了する。その後、『カード蓋開閉検知』ｓ５に移行する。カード蓋が閉まっている場合は『閉検知』ｓ７から、『所定の時間が経過したらファンを停止する』ｓ１１に移行する。所定の時間とは、あらかじめ設定された時間であり、例えば回転数ｎ２で気流Ｗ２をメモリカード５１９に当て、十分にメモリカード５１９の温度が下がる時間である。
【００５９】
『カード蓋開閉状態の検知』ｓ５で、メモリカードの装着口を塞いでいるカード蓋が開いていたことを検知すると『開検知』ｓ６から『ルーバーを回動し、ファンの回転数（駆動状態）をｎ２に変更する』ｓ８に移行する。モーター１１３を駆動し、複数の姿勢に移動可能な板部材であるルーバー１１７が図１８の状態に移行する。ファンの回転数ｎ２はあらかじめ設定された回転数である。例えば、本実施例では使用しているファンの許容回転数の上限に設定して、急速にカード部分を冷やす事を優先している。
【００６０】
その後『カード蓋開閉状態の検知』ｓ９に移行する。カード蓋４００が開状態の場合、『所定の時間が経過したらファンを停止する』ｓ１３に移行する。所定の時間とは、あらかじめ設定された時間であり、メモリカード５１９の温度が常温近くまで下がる時間である。その後『ルーバーを回動して元の姿勢に戻す』ｓ１５に移行する。モーター１１３を駆動し、ルーバー１１７を図１９の姿勢に戻す。
【００６１】
『カード蓋開閉検知』ｓ９において『閉検知』ｓ１２を検知すると、『ファンを停止』ｓ１４に移行して、『ルーバーを回動して元の姿勢に戻す』ｓ１５に移行する。
【００６２】
他の実施例を図２０、図２１に示す。図２１は記録時を示し、図２０はカード蓋を開けた状態を示す。カード蓋７００は、複数のスリット７１０を形成しており、カード蓋を閉じている際はスリット７１０が排気孔も兼ねており、ファン７０からの気流Ｗ１を外部に排出する。
【００６３】
カード蓋を開く際は図示しない電動機構により、カード蓋７００はダクト部８００の内部に入っていき、若干斜めになりながら、カードコネクタ８０に対し、斜めに配置される。カード蓋７００のスリット７１０の内側は傾斜部７１１を形成している。
【００６４】
カード蓋７００がカードコネクタ８０に向かって斜めになっている事と、傾斜部７１１の形状によって、気流Ｗ２はカードコネクタ８０に方向を変えていき、メモリカード５１９に当たる。
【００６５】
以上説明したように、本実施例によれば、カメラ１の記録時においては、メイン基板４００の放熱を可能とする。そして、カード蓋７００を開けた際には、ファン７０からの風の流れを変えることで、カードコネクタ８０とメモリカード５１９へ集中的に風を当てることが可能となり、メモリカード表面の冷却効果が上がる。
【００６６】
以上本発明をその好適な実施形態において詳述してきたが、本発明はこれら特定の実施形態に限られるものではない。たとえば本実施例では蓋を開けたときに風の流れを変えることでカード基板の冷却効果を上げているが、ファンの回転数を上げることのみでもカード基板に当たる風量を変化させることで冷却効果を上げることができる。この発明の趣旨を逸脱しない範囲のさまざまな形態も本発明に含まれる。
【符号の説明】
【００６７】
１  カメラ
６  吸気口
７  排気口
７０  ファン
７１  ファン吸気口
７２  ファン排気口
８０  カードコネクタ
８１  カード基板
５１９  メモリカード
【図１】
2019068370.tif 000003
【図２】
2019068370.tif 000004
【図３】
2019068370.tif 000005
【図４】
2019068370.tif 000006
【図５】
2019068370.tif 000007
【図６】
2019068370.tif 000008
【図７】
2019068370.tif 000009
【図８】
2019068370.tif 000010
【図９】
2019068370.tif 000011
【図１０】
2019068370.tif 000012
【図１１】
2019068370.tif 000013
【図１２】
2019068370.tif 000014
【図１３】
2019068370.tif 000015
【図１４】
2019068370.tif 000016
【図１５】
2019068370.tif 000017
【図１６】
2019068370.tif 000018
【図１７】
2019068370.tif 000019
【図１８】
2019068370.tif 000020
【図１９】
2019068370.tif 000021
【図２０】
2019068370.tif 000022
【図２１】
2019068370.tif 000023
【図２２】
2019068370.tif 000024
【図２３】
2019068370.tif 000025